(57)【特許請求の範囲】
【請求項１】
壁部と、
前記壁部の貫通孔を閉塞するように設けられるノックアウトと、
前記ノックアウトと前記壁部側とを連結する連結部と、
貫通体を前記ノックアウト側に螺進させるようその貫通体のねじ部が螺合可能な螺合部とを備え、
前記螺合部に螺合した前記貫通体を前記ノックアウト側に螺進させることで、前記貫通体の先端面押圧部が、前記ノックアウトを徐々に押圧して前記連結部を破断し、前記ノックアウトを抜くことを特徴とするノックアウト構造。
【請求項２】
前記壁部には、内側が前記貫通孔となる筒が設けられ、その筒の内部に前記ノックアウトが設けられ、かつ、その筒の内周面または外周面に、前記螺合部が設けられていることを特徴とする、請求項１に記載のノックアウト構造。
【請求項３】
前記ノックアウトの周回りの一部には、前記貫通体の前記先端面押圧部に押圧される突起が設けられていることを特徴とする、請求項１または２に記載のノックアウト構造。
【請求項４】
前記突起は、前記ノックアウトの周回りに並ぶように複数設けられ、それら突起は、前記貫通体の螺進に伴って、前記ノックアウトの周回りの一方向の順に前記先端面押圧部が押圧するように、その高さが設定されていることを特徴とする、請求項３に記載のノックアウト構造。
【請求項５】
請求項１または２に記載のノックアウト構造を有するノックアウト付部材と、前記貫通体とからなる、ノックアウト付装置。
【請求項６】
前記ノックアウトと前記貫通体には、前記先端面押圧部が、前記ノックアウトの周回りの一部を部分的に押圧する、部分押圧手段が設けられていることを特徴とする、請求項５に記載のノックアウト付装置。
【請求項７】
前記部分押圧手段は、前記ねじ部と前記螺合部との螺合の軸心回りにその軸心と直交するように形成された、前記先端面押圧部と、前記ノックアウトの周回りの一部に突出して、前記先端面押圧部に押圧される、突起とからなることを特徴とする、請求項６に記載のノックアウト付装置。
【請求項８】
前記突起は、前記ノックアウトの周回りに並ぶように複数設けられ、それら突起は、前記貫通体の螺進に伴って、前記ノックアウトの周回りの一方向の順に前記先端面押圧部が押圧するように、その高さが設定されていることを特徴とする、請求項７に記載のノックアウト付装置。
【請求項９】
前記部分押圧手段は、前記ねじ部と前記螺合部との螺合の軸心回りにその軸心と直交するように形成された、前記先端面押圧部と、前記軸心に対して傾斜するように形成されて、前記先端面押圧部に押圧される、前記ノックアウトの被押圧面とからなることを特徴とする、請求項６に記載のノックアウト付装置。
【請求項１０】
前記連結部は、前記ノックアウトの周回り方向の一部が厚肉に形成されて、その厚肉部分が、前記ノックアウトが抜かれた後にも破断されることなく前記ノックアウトと前記壁部側とを繋げることを特徴とする、請求項６ないし９のいずれか１項に記載のノックアウト付装置。
【請求項１１】
前記貫通体の螺進に伴い、前記部分押圧手段によって前記ノックアウトの周回りの一部が部分的に押圧されて、その押圧された側から破断される連結部の残された部分を支点とした回動により傾く前記ノックアウトが、所定の角度を越えて傾くのを阻止する阻止部を、前記ノックアウト付部材が有することを特徴とする、請求項６ないし９のいずれか１項に記載のノックアウト付装置。
【請求項１２】
前記ノックアウト付部材は、配線ボックスまたは配電函であって、前記貫通孔は、配線材の導入孔となっていることを特徴とする、請求項５ないし１１のいずれか１項に記載のノックアウト付装置。
【請求項１３】
前記ノックアウト付部材は、配線ボックスまたは配電函であって、前記貫通孔は、配線材の導入孔となっており、かつ、
前記ノックアウト付部材は、その側壁または底壁の内面側に、案内面を有し、その案内面は、前記貫通体の螺進による進行方向に対して傾斜して、前記貫通孔から導入された前記配線材を前記ノックアウト付部材の中央側に案内するものであって、その案内面が前記阻止部を兼ねることを特徴とする、請求項１１に記載のノックアウト付装置。
【請求項１４】
前記貫通体は、前記ねじ部が前記螺合部にねじ込まれることで、前記ノックアウトを抜くとともに、前記ノックアウト付部材に取付け固定される、取着体であることを特徴とする、請求項５ないし１３のいずれか１項に記載のノックアウト付装置。
【請求項１５】
前記取着体は、鞘管が接続されるコネクタからなることを特徴とする、請求項１４に記載のノックアウト付装置。
【発明の詳細な説明】
【技術分野】
【０００１】
この発明は、壁部の貫通孔を閉塞するノックアウト部分のノックアウト構造、およびそのノックアウト構造を備えたノックアウト付装置に関するものである。
【背景技術】
【０００２】
従来、例えば配線ボックスにおいて、配線挿通用の貫通孔を閉塞する閉塞部（ノックアウト）を除去するにあたって、プラスドライバが用いられた（例えば、特許文献１参照）。この配線ボックスにあっては、閉塞部に、工具係止部が設けられており、閉塞部を除去する際には、プラスドライバの先端部を工具係止部に係止させて、そのプラスドライバを介して閉塞部に衝撃力を加えていた。
【先行技術文献】
【特許文献】
【０００３】
【特許文献１】特開２００６−５４９８９
【発明の概要】
【発明が解決しようとする課題】
【０００４】
ところで、前記従来の配線ボックスにあっては、閉塞部（ノックアウト）に、工具係止部が設けられるものの、閉塞部を除去する際には、その閉塞部に衝撃力という大きな力を加えなければならなかった。
【０００５】
この発明は、上記した従来の欠点を解決するためになされたものであり、その目的とするところは、ノックアウトを小さな力で簡単に抜くことができる、ノックアウト構造およびノックアウト付装置を提供することにある。
【課題を解決するための手段】
【０００６】
この発明に係るノックアウト構造およびノックアウト付装置は、前記目的を達成するために、次の構成からなる。すなわち、
請求項１に記載の発明に係るノックアウト構造は、壁部と、前記壁部の貫通孔を閉塞するように設けられるノックアウトと、前記ノックアウトと前記壁部側とを連結する連結部と、貫通体を前記ノックアウト側に螺進させるようその貫通体のねじ部が螺合可能な螺合部とを備える。そこで、前記螺合部に螺合した前記貫通体を前記ノックアウト側に螺進させることで、前記貫通体の先端面押圧部が、前記ノックアウトを徐々に押圧して前記連結部を破断し、前記ノックアウトを抜く。このノックアウト構造によると、ノックアウトを抜くにあたって、貫通体を螺進させてその貫通体の先端面押圧部でノックアウトを徐々に押圧することで、このノックアウトを小さな力で簡単に抜くことができる。
【０００７】
また、請求項２に記載の発明に係るノックアウト構造は、請求項１に記載のノックアウト構造において、前記壁部には、内側が前記貫通孔となる筒が設けられ、その筒の内部に前記ノックアウトが設けられ、かつ、その筒の内周面または外周面に、前記螺合部が設けられている。
【０００８】
また、請求項３に記載の発明に係るノックアウト構造は、請求項１または２に記載のノックアウト構造において、前記ノックアウトの周回りの一部には、前記貫通体の前記先端面押圧部に押圧される突起が設けられている。
【０００９】
また、請求項４に記載の発明に係るノックアウト構造は、請求項３に記載のノックアウト構造において、前記突起は、前記ノックアウトの周回りに並ぶように複数設けられ、それら突起は、前記貫通体の螺進に伴って、前記ノックアウトの周回りの一方向の順に前記先端面押圧部が押圧するように、その高さが設定されている。
【００１０】
また、請求項５に記載の発明に係るノックアウト付装置は、請求項１または２に記載のノックアウト構造を有するノックアウト付部材と、前記貫通体とからなる。
【００１１】
また、請求項６に記載の発明に係るノックアウト付装置は、請求項５に記載のノックアウト付装置において、前記ノックアウトと前記貫通体には、前記先端面押圧部が、前記ノックアウトの周回りの一部を部分的に押圧する、部分押圧手段が設けられている。こうして、部分押圧手段により、ノックアウトの周回りの一部を部分的に押圧することで、その押圧される側から、連結部は、順に破断される。このため、この部分押圧手段によって、ノックアウトを一層小さな力で抜くことができる。
【００１２】
また、請求項７に記載の発明に係るノックアウト付装置は、請求項６に記載のノックアウト付装置において、前記部分押圧手段は、前記ねじ部と前記螺合部との螺合の軸心回りにその軸心と直交するように形成された、前記先端面押圧部と、前記ノックアウトの周回りの一部に突出して、前記先端面押圧部に押圧される、突起とからなる。
【００１３】
また、請求項８に記載の発明に係るノックアウト付装置は、請求項７に記載のノックアウト付装置において、前記突起は、前記ノックアウトの周回りに並ぶように複数設けられ、それら突起は、前記貫通体の螺進に伴って、前記ノックアウトの周回りの一方向の順に前記先端面押圧部が押圧するように、その高さが設定されている。
【００１４】
また、請求項９に記載の発明に係るノックアウト付装置は、請求項６に記載のノックアウト付装置において、前記部分押圧手段は、前記ねじ部と前記螺合部との螺合の軸心回りにその軸心と直交するように形成された、前記先端面押圧部と、前記軸心に対して傾斜するように形成されて、前記先端面押圧部に押圧される、前記ノックアウトの被押圧面とからなる。
【００１５】
また、請求項１０に記載の発明に係るノックアウト付装置は、請求項６ないし９のいずれか１項に記載のノックアウト付装置において、前記連結部は、前記ノックアウトの周回り方向の一部が厚肉に形成されて、その厚肉部分が、前記ノックアウトが抜かれた後にも破断されることなく前記ノックアウトと前記壁部側とを繋げるものである。これにより、ノックアウトが抜かれたときに、そのノックアウトが不用意に飛んで人に当たったり隙間に入り込んだりすることがない。
【００１６】
また、請求項１１に記載の発明に係るノックアウト付装置は、請求項６ないし９のいずれか１項に記載のノックアウト付装置において、前記貫通体の螺進に伴い、前記部分押圧手段によって前記ノックアウトの周回りの一部が部分的に押圧されて、その押圧された側から破断される連結部の残された部分を支点とした回動により傾く前記ノックアウトが、所定の角度を越えて傾くのを阻止する阻止部を、前記ノックアウト付部材が有する。こうして、阻止部により、ノックアウトが所定の角度を越えて傾くのを阻止することで、貫通体の先端面押圧部の押圧力が、連結部の破断されていない一部分に集中し、連結部の全体を確実に破断することができる。
【００１７】
また、請求項１２に記載の発明に係るノックアウト付装置は、請求項５ないし１１のいずれか１項に記載のノックアウト付装置において、前記ノックアウト付部材は、配線ボックスまたは配電函であって、前記貫通孔は、配線材の導入孔となっている。
【００１８】
また、請求項１３に記載の発明に係るノックアウト付装置は、請求項１１に記載のノックアウト付装置において、前記ノックアウト付部材は、配線ボックスまたは配電函であって、前記貫通孔は、配線材の導入孔となっている。そして、前記ノックアウト付部材は、その側壁または底壁の内面側に、案内面を有し、その案内面は、前記貫通体の螺進による進行方向に対して傾斜して、前記貫通孔から導入された前記配線材を前記ノックアウト付部材の中央側に案内するものであって、その案内面が前記阻止部を兼ねる。こうして、案内面が阻止部を兼ねることで、別途阻止部を設ける必要がない。
【００１９】
また、請求項１４に記載の発明に係るノックアウト付装置は、請求項５ないし１３のいずれか１項に記載のノックアウト付装置において、前記貫通体は、前記ねじ部が前記螺合部にねじ込まれることで、前記ノックアウトを抜くとともに、前記ノックアウト付部材に取付け固定される、取着体である。こうして、ノックアウト付部材に取付け固定される取着体を、ノックアウトを抜くための貫通体として利用することで、別途貫通体を設ける必要がない。
【００２０】
また、請求項１５に記載の発明に係るノックアウト付装置は、請求項１４に記載のノックアウト付装置において、前記取着体は、鞘管が接続されるコネクタからなる。
【発明の効果】
【００２１】
この発明に係るノックアウト構造およびノックアウト付装置によれば、貫通体のねじ部が螺合可能な螺合部を設け、貫通体を螺進させてノックアウトを徐々に押圧することで、このノックアウトを小さな力で簡単に抜くことができる。
【図面の簡単な説明】
【００２２】
【図１】この発明の一実施の形態の、ノックアウト付部材の斜視図である。
【図２】同じく、ノックアウト付部材の底面図である。
【図３】同じく、図２におけるＡ−Ａ線による断面図である。
【図４】同じく、ノックアウト付部材の螺合部にコネクタをねじ込む途中の状態を示す断面図である。
【図５】同じく、ノックアウト付部材の螺合部へのコネクタのねじ込みを進めた状態を示す断面図である。
【図６】同じく、ノックアウト付部材の螺合部へのコネクタのねじ込みが完了した状態を示す断面図である。
【図７】この発明の第１の変形形態の、ノックアウト付部材の底面図である。
【図８】同じく、図７におけるＢ−Ｂ線による断面図である。
【図９】同じく、ノックアウト付部材の螺合部へのコネクタのねじ込みが完了した状態を示す断面図である。
【図１０】この発明の第２の変形形態の、ノックアウト付部材の斜視図である。
【図１１】同じく、ノックアウト付部材の底面図である。
【図１２】同じく、図１１におけるＣ−Ｃ線による断面図である。
【図１３】同じく、図１１におけるＤ−Ｄ線による断面図である。
【図１４】同じく、ノックアウト付部材の螺合部にコネクタをねじ込む途中の状態を示す断面図である。
【図１５】同じく、ノックアウト付部材の螺合部へのコネクタのねじ込みを進めた状態を示す断面図である。
【図１６】同じく、ノックアウト付部材の螺合部へのコネクタのねじ込みが完了した状態を示す断面図である。
【図１７】この発明の第３の変形形態の、ノックアウト付部材の螺合部にコネクタをねじ込む途中の状態を示す断面図である。
【図１８】この発明の第４の変形形態の、ノックアウト付部材の螺合部にコネクタをねじ込む途中の状態を示す断面図である。
【図１９】この発明の第５の変形形態の、ノックアウト付部材の螺合部にコネクタをねじ込む途中の状態を示す断面図である。
【発明を実施するための形態】
【００２３】
以下、この発明に係るノックアウト構造およびノックアウト付装置を実施するための形態を図面に基づいて説明する。
【００２４】
図１〜図６は、本発明の一実施の形態を示す。図中符号１は、貫通体であって、ねじ部１ａを備える。２は、ノックアウト構造である。３は、ノックアウト付部材であって、前記ノックアウト構造２を有する。４は、ノックアウト付装置であって、前記ノックアウト付部材３と前記貫通体１とからなる。
【００２５】
ここで、ノックアウト構造２は、壁部２ａと、その壁部２ａの貫通孔２ｂを閉塞するように設けられるノックアウト２ｃ（閉塞部）と、そのノックアウト２ｃと壁部２ａとを連結する連結部２ｄと、貫通体１をノックアウト２ｃ側に螺進させるようにその貫通体１のねじ部１ａが螺合可能な螺合部２ｅとを備える。そして、このノックアウト構造２では、螺合部２ｅに螺合した貫通体１をノックアウト２ｃ側に螺進させることで、貫通体１の先端面押圧部１ｂが、ノックアウト２ｃを徐々に押圧して連結部２ｄを破断し、ノックアウト２ｃを抜くことにより、前記貫通孔２ｂの閉塞が解除されるようになっている（図４〜図６参照）。
【００２６】
詳細には、ノックアウト２ｃと貫通体１には、貫通体１の先端面押圧部１ｂが、ノックアウト２ｃの周回りの一部を部分的に押圧する、部分押圧手段５が設けられている。この部分押圧手段５は、ねじ部１ａと螺合部２ｅとの螺合の軸心６回りにその軸心６と直交するように形成された、前記先端面押圧部１ｂと、ノックアウト２ｃの板面の周回りの一部に突出して、先端面押圧部１ｂに押圧される、突起２ｆとからなる。より詳細には、前記突起２ｆは、ノックアウト２ｃの周回りに並ぶように複数設けられ、それら突起２ｆ、２ｆは、貫通体１の螺進に伴って、ノックアウト２ｃの周回りの一方向の順に先端面押圧部１ｂが押圧するように、その高さが設定されている。
【００２７】
具体的には、ノックアウト付部材３は、配線ボックス３０１であって、前記貫通孔２ｂは、配線材の導入孔となっている。ここで、配線ボックス３０１が、特にコンクリート埋設されるものであると、ノックアウト２ｃは、トロ防止用となるが、配線ボックス３０１は、このようなコンクリート埋設されるものに限定されない。この配線ボックス３０１となるノックアウト付部材３は、直方体形状であって、前面が開放する箱形形状をしている。そして、このノックアウト付部材３の例えば上壁３ａおよび下壁３ｂが、ノックアウト２ｃが設けられる前記壁部２ａとなっている。図示実施の形態においては、ノックアウト付部材３は、壁部２ａとなっている上壁３ａおよび下壁３ｂと、左右の側壁３ｃ、３ｃと、底壁３ｄとを有する。また、左右の側壁３ｃ、３ｃの上下の端部には、それら左右の側壁３ｃ、３ｃが外方に膨出するようにして形成された膨出部３ｅ、３ｅが設けられている。
【００２８】
この壁部２ａには、内側が前記貫通孔２ｂとなる筒２ｇが設けられて、その筒２ｇの内部にノックアウト２ｃが設けられる。詳細には、筒２ｇは、円筒状に形成され、壁部２ａの外方であってその壁部２ａに対して直交する方向に突出している。そして、ノックアウト２ｃは、筒２ｇの奥端に、壁部２ａの延長上に設けられており、その内側面は、壁部２ａの内壁面と面一となっている。このノックアウト２ｃは、円形形状であって、その中央部分２ｈが、一定の肉厚となり、周縁部分２ｉが、外周側ほど徐々に薄肉となって、薄板状に形成された前記連結部２ｄに続いている。
【００２９】
ノックアウト２ｃにおける前記突起２ｆは、ノックアウト２ｃの表側であって、ノックアウト２ｃの周縁部分２ｉに、例えば二つ設けられ、これら二つの突起２ｆ、２ｆは、高さが相対的に高い第１突起２ｊと、相対的に低い第２突起２ｋとからなる。
【００３０】
そして、貫通体１の前記ねじ部１ａは、雄ネジからなり、ノックアウト付部材３の前記螺合部２ｅは、雌ネジからなり、その螺合部２ｅが、筒２ｇの内周面であって、ノックアウト２ｃよりも手前側（外方側）に形成されている。図示実施の形態においては、この螺合部２ｅは、一周分のねじ山が、三つに分断されるようにして形成される。
【００３１】
また、貫通体１は、ねじ部１ａが螺合部２ｅにねじ込まれることで、ノックアウト２ｃを抜くとともに、ノックアウト付部材３に取付け固定される、取着体となっている。特に、図示実施の形態においては、この取着体、つまりは貫通体１は、鞘管７が接続されるコネクタ１０１からなる（図６参照）。このコネクタ１０１は、長手方向に貫通する筒形状をしており、一方側が、ノックアウト付部材３への取付部１ｃとなり、この取付部１ｃの外周面に、前記ねじ部１ａとしての雄ネジが形成される。この取付部１ｃは、ノックアウト付部材３の筒２ｇの内側に挿入されるものであって、この取付部１ｃの先端面が、前記先端面押圧部１ｂとなる。そして、コネクタ１０１は、他方側が、鞘管７が接続される鞘管接続部１ｄとなっている。
【００３２】
次に、以上の構成からなるノックアウト構造２およびノックアウト付装置４の作用効果について説明する。このノックアウト構造２とかノックアウト付装置４によると、ノックアウト付部材３の筒２ｇに、コネクタ１０１（取着体、貫通体１）のねじ部１ａが螺合可能な螺合部２ｅを設け、ノックアウト２ｃを抜くにあたって、コネクタ１０１を螺進させてそのコネクタ１０１の先端面押圧部１ｂでノックアウト２ｃを徐々に押圧することで、このノックアウト２ｃを小さな力で簡単に抜くことができる。また、このノックアウト構造２は、従来のような衝撃による破断方式とは異なるため、連結部２ｄの破断が壁部２ａの割れに進展する虞がない。
【００３３】
また、部分押圧手段５により、先端面押圧部１ｂでノックアウト２ｃの板面の周回りの一部を部分的に押圧することで、その押圧される側から、連結部２ｄは、順に破断される（図４、図５参照）。このため、この部分押圧手段５によって、ノックアウト２ｃを一層小さな力で抜くことができる。なお、図示実施の形態においては、コネクタ１０１を螺合部２ｅにねじ込むことで、ノックアウト２ｃは、抜かれるとともに除去される（図６参照）。
【００３４】
また、ノックアウト付部材３に取付け固定されるコネクタ１０１（取着体）を、ノックアウト２ｃを抜くための貫通体として利用することで、別途貫通体を設ける必要がなく、また、その貫通体でノックアウト２ｃを抜く作業が不要となる。
【００３５】
なお、本発明は、上述した実施の形態に限定されるわけではなく、その他種々の変更が可能である。例えば、ノックアウト２ｃと壁部２ａ側とを連結する連結部２ｄは、図７〜図９に示すように、ノックアウト２ｃの周回り方向の一部が厚肉に形成されて、その厚肉部分２ｍが、ノックアウト２ｃが抜かれた後にも破断されることなくノックアウト２ｃと壁部２ａ側とを繋げてもよい。すなわち、図９に示すように、ノックアウト２ｃは、厚肉部分２ｍがヒンジとなって開いてもよい。これにより、ノックアウト２ｃが抜かれたときに、そのノックアウト２ｃが不用意に飛んで人に当たったり隙間に入り込んだりすることがない。ここで、ノックアウト２ｃは、邪魔にならなければ壁部２ａ側と繋がった状態のまま残してもよく、また、手で折り取るようにして除去してもよい。そして、ノックアウト２ｃを壁部２ａ側と繋がった状態のまま残すと、そのノックアウト２ａは、ゴミになることがない。
【００３６】
また、図１０〜図１６に示すように、コネクタ１０１（取着体、貫通体１）の螺進に伴い、既述の部分押圧手段５によってノックアウト２ｃの周回りの一部が部分的に押圧されて、その押圧された側から破断される連結部２ｄの残された部分を支点とした回動により傾く（つまり、コネクタ１０１の螺進による進行方向の側に傾く）ノックアウト２ｃが、所定の角度を越えて傾くのを阻止する阻止部３ｆを、ノックアウト付部材３が有してもよい。詳細には、ノックアウト付部材３は、配線ボックス３０１であって、貫通孔２ｂは、配線材の導入孔となっている。そして、配線ボックス３０１（ノックアウト付部材３）は、その側壁３ｃまたは底壁３ｄ（図示実施の形態においては、側壁３ｃ）の内面側に、案内面３ｇを有し、その案内面３ｇは、コネクタ１０１（取着体、貫通体１）の螺進による進行方向に対して傾斜して、貫通孔２ｂから導入された配線材を配線ボックス３０１の中央側に案内するものであって、その案内面３ｇが前記阻止部３ｆを兼ねる。図示実施の形態においては、ノックアウト付部材３の左右の側壁３ｃ、３ｃが上下の端部（つまり、壁部２ａとしての上壁３ａとか下壁３ｂの側の端部）にて外方に膨出した膨出部３ｅ、３ｅの内面であって、側壁３ｃの中央寄りに位置する傾斜面である面３ｈが、前記案内面３ｇとなり、かつ、前記阻止部３ｆとなっている（図１２、図１３参照）。そして、この面３ｈ（案内面３ｇ）は、ノックアウト２ｃの奥側において、ノックアウト２ｃに対して部分的に覆い被さるように（つまり、コネクタ１０１の螺進による進行方向から見てノックアウト２ｃと部分的に重なるように）傾斜している。また、連結部２ｄは、ノックアウト２ｃの全周を壁部２ａ（上壁３ａ、下壁３ｂ）側と連結するとともに、ノックアウト２ｃの周回り方向の一部が厚肉に形成されている。そして、ノックアウト２ｃ（および筒２ｇ）は、各壁部２ａ、２ａ（上壁３ａ、下壁３ｂ）において、左右に２個並ぶように設けられており、それらノックアウト２ｃ、２ｃの周回り方向における、壁部２ａ（上壁３ａ、下壁３ｂ）の中央部Ｐ側に位置する一部が、厚肉に形成された厚肉部分２ｍとなっている（図１１および図１３〜図１５参照）。
【００３７】
そして、この図１０〜図１６に示す例にあっては、コネクタ１０１（取着体、貫通体１）の螺進に伴って、連結部２ｄが厚肉部分２ｍを残して破断されるとともに、ノックアウト２ｃが、厚肉部分２ｍを支点として、コネクタ１０１の螺進による進行方向側へと回動し、その回動により、初期位置（図示実施の形態においては、ノックアウト２ｃの内側面が壁部２ａの内壁面と面一の状態にある位置）に対して傾く（図１５参照）。すなわち、ノックアウト２ｃは、厚肉部分２ｍがヒンジとなって開き始める。そして、ノックアウト２ｃは、破断された側の周縁部が、阻止部３ｆ（案内面３ｇ）に当たって、それ以上傾くのが阻止される（つまり、ノックアウト２ｃが、前記周縁部が阻止部３ｆに当たった時の、壁部２ａとのなす角度を越えて、傾くのが阻止される）。この状態で、さらにコネクタ１０１（取着体、貫通体１）を螺進させると、コネクタ１０１の先端面押圧部１ｂの、ノックアウト２ｃを押圧する押圧力が、厚肉部分２ｍに集中し、その結果、厚肉部分２ｍが破断される。こうして、連結部２ｄは、その全体が破断され、その後、抜かれたノックアウト２ｃは除去される（図１６参照）。このように、阻止部３ｆにより、ノックアウト２ｃが所定の角度を越えて傾くのを阻止することで、コネクタ１０１（取着体、貫通体１）の先端面押圧部１ｂの押圧力が、連結部２ｄの破断されていない一部分（厚肉部分２ｍ）に集中し、連結部２ｄの全体を確実に破断することができる。しかも、案内面３ｇが阻止部３ｆを兼ねることから、別途阻止部３ｆを設ける必要がない。なお、図示実施の形態においては、膨出部３ｅの内面における、側壁３ｃの中央寄りに位置する傾斜面である面３ｈが、案内面３ｇであり阻止部３ｆとなっているが、面３ｈを、壁部２ａの壁面と平行となるように設ければ、この面３ｈは、阻止部３ｆであっても案内面３ｇとはならない。また、配線ボックス３０１（ノックアウト付部材３）は、底壁３ｄの内面側に、前記案内面を有し、その案内面が前記阻止部３ｆを兼ねてもよい。また、阻止部３ｆは、前記面３ｈとか前記案内面でなくてもよく、例えば、配線ボックス３０１（ノックアウト付部材３）の側壁３ｃや底壁３ｄの内面側に設けられた凸部とか突起物などであってもよい。
【００３８】
また、ノックアウト２ｃに設けられる突起２ｊ（２ｆ）、２ｋ（２ｆ）は、貫通体１の螺進に伴って、ノックアウト２ｃの周回りの一方向の順に先端面押圧部１ｂが押圧するように、その高さが設定されているが、例えば、複数の突起２ｆ、２ｆが、高さ違いにあって、その高さがノックアウト２ｃの周回りの一方向の順に並んでいなくともよい。
【００３９】
また、ノックアウト２ｃには、第１突起２ｊ（２ｆ）と第２突起２ｋ（２ｆ）との複数の突起が設けられているが、例えば、第２突起２ｋは設けられず第１突起２ｊのみが設けられるというように、突起２ｆが、一つのみ設けられてもよい。
【００４０】
また、部分押圧手段５は、上述の構成以外に、図１７とか図１８に示すように、ねじ部１ａと螺合部２ｅとの螺合の軸心６回りにその軸心６と直交するように形成された、先端面押圧部１ｂと、軸心６に対して傾斜するように形成されて、先端面押圧部１ｂに押圧される、ノックアウト２ｃの被押圧面２ｎとからなってもよい。すなわち、図１７に示す例では、ノックアウト２ｃの被押圧面２ｎが、軸心６と直交する壁部２ａの壁面に対して、傾斜することで、その被押圧面２ｎが、前記軸心６に対して傾斜する。また、この場合には、図１７に示す以外に、ノックアウト２ｃが、ノックアウト本体と、そのノックアウト本体とは別体の、被押圧面２ｎを形成する被押圧面形成体とから構成されてもよい。また、図１８に示す例では、前記軸心６が、壁部２ａの壁面に対して直交することなく傾斜することで、ノックアウト２ｃの被押圧面２ｎが、前記軸心６に対して傾斜することとなる。
【００４１】
また、図示を省略するが、部分押圧手段５は、ねじ部１ａと螺合部２ｅとの螺合の軸心６に対して傾斜するように形成された、先端面押圧部１ｂと、軸心６と直交するように形成されて、先端面押圧部１ｂに押圧される、ノックアウト２ｃの被押圧面２ｎとからなってもよい。
【００４２】
また、ノックアウト付装置４には、部分押圧手段５を設けることなく、コネクタ１０１（取着体、貫通体１）の先端面押圧部１ｂが、ノックアウト２ｃの板面の周回りの全体を押圧するようにしてもよい。
【００４３】
また、コネクタ１０１（取着体、貫通体１）のねじ部１ａは、雄ネジからなり、ノックアウト付部材３の螺合部２ｅは、雌ネジからなるが、反対に、図１９に示すように、コネクタ１０１（取着体、貫通体１）のねじ部１ａが、雌ネジからなり、ノックアウト付部材３の螺合部２ｅが、雄ネジからなってもよい。ここで、コネクタ１０１における、ノックアウト付部材３への取付部１ｃは、ノックアウト付部材３の筒２ｇの外周に嵌まるように筒状に形成される。そして、その取付部１ｃの内周面に、雌ネジとなるねじ部１ａが形成され、筒２ｇの外周面に、雄ネジとなる螺合部２ｅが形成される。また、コネクタ１０１には、筒２ｇの内側に挿入されるように、取付部１ｃの内側に内筒部１ｅを備えており、この内筒部１ｅの先端面が、前記先端面押圧部１ｂとなる。
【００４４】
また、筒２ｇは、壁部２ａの外方に突出しなくとも、内方に突出したり、外方と内方との両方に突出してもよい。そして、ノックアウト２ｃは、壁部２ａの延長上でなくとも、壁部２ａの延長上より手前側または奥側のずれた位置に設けられてもよく、また、壁部２ａに対して傾斜してもよい。また、ノックアウト２ｃは、筒２ｇの先端に設けられても、その先端から内側に入った位置に設けられてもよい。さらに、螺合部２ｅが雌ネジであって、壁部２ａが充分厚い場合には、筒２ｇを設けることなく、貫通孔２ｂに、ノックアウト２ｃと螺合部２ｅを設けてもよい。
【００４５】
また、コネクタ１０１（取着体、貫通体１）の先端面押圧部１ｂは、ノックアウト２ｃを抜くことができるのであれば、壁部２ａの延長上を通過するものに限ることはなく、通過しなくてもよい。すなわち、コネクタ１０１（取着体）にあっては、壁部２ａの裏側に先端面押圧部１ｂが突出しない状態でノックアウト付部材３に取付け固定されてもよい。
【００４６】
また、貫通体１となる取着体は、コネクタ１０１からならなくとも、ブッシング等からなってもよい。また、貫通体１は、取着体でなくとも、ノックアウト２ｃを抜いた後に取り外されるものであってもよい。
【００４７】
また、貫通体１は、そのねじ部１ａが、ノックアウト付部材３の外側から螺合部２ｅにねじ込まれるが、ノックアウト２ｃと螺合部２ｅとの並びを逆にしたりして、ノックアウト付部材３の内側からねじ込まれてもよい。
【００４８】
また、連結部２ｄは、ノックアウト２ｃの全周を壁部２ａ側と連結する以外に、ノックアウト２ｃの周囲の何ヵ所かを壁部２ａ側と連結するように断続的に形成されてもよい。
【００４９】
また、ノックアウト付部材３は、配線ボックス３０１の他、配電函等の、電気器具が収容される箱体とか、単に配線材が通る箱体であって、貫通孔２ｂは、配線材の導入孔となっていてもよい。ここで、配電函が、特に屋外で使用される露出配電函であると、ノックアウト２ｃは、雨水防止用となるが、配電函は、このような露出配電函に限定されない。
【００５０】
また、ノックアウト付部材３は、配管ボックス３０１とか水栓ボックス等の箱体であって、貫通孔２ｂは、配管材の導入孔となっていてもよい。さらに、ノックアウト付部材３は、箱体からならなくとも、パネルとかプレート等の箱を構成しないものであってもよい。
【００５１】
また、壁部２ａの筒２ｇに替えて、ノックアウト２ｃを取り囲む、Ｃ字状の突出部とか複数の突起部とかを設け、その内面（内周面）あるいは外面（外周面）に、螺合部２ｅが形成されてもよい。
【符号の説明】
【００５２】
１  貫通体
１０１  コネクタ
１ａ  ねじ部
１ｂ  先端面押圧部
２  ノックアウト構造
２ａ  壁部
２ｂ  貫通孔
２ｃ  ノックアウト
２ｄ  連結部
２ｅ  螺合部
２ｆ  突起
２ｇ  筒
２ｍ  厚肉部分
２ｎ  被押圧面
３  ノックアウト付部材
３０１  配線ボックス
３ｃ  側壁
３ｄ  底壁
３ｆ  阻止部
３ｇ  案内面
４  ノックアウト付装置
５  部分押圧手段
６  軸心
７  鞘管
【図１】
0005637891.tif 000002
【図２】
0005637891.tif 000003
【図３】
0005637891.tif 000004
【図４】
0005637891.tif 000005
【図５】
0005637891.tif 000006
【図６】
0005637891.tif 000007
【図７】
0005637891.tif 000008
【図８】
0005637891.tif 000009
【図９】
0005637891.tif 000010
【図１０】
0005637891.tif 000011
【図１１】
0005637891.tif 000012
【図１２】
0005637891.tif 000013
【図１３】
0005637891.tif 000014
【図１４】
0005637891.tif 000015
【図１５】
0005637891.tif 000016
【図１６】
0005637891.tif 000017
【図１７】
0005637891.tif 000018
【図１８】
0005637891.tif 000019
【図１９】
0005637891.tif 000020